【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
潟（１２）と、この潟（１２）を潮汐流水域（１６）から分離する複数個の貯水池（１４）とを備え、各貯水池（１４）が、貯水池隔室（２２）を包囲する護岸（２０）を有している潮汐力発電のシステム（１０）であり、前記システムは、さらに、前記潮汐流水域（１６）と前記潟（１２）との間を連通させ、内部に第１水力タービン（３２）を有する少なくとも１つの第１フローチャンネル（３０）と、前記複数個の貯水池における互いに隣接する第１貯水池と第２貯水池（１４）との間を連通させる少なくとも１つの第２フローチャンネル（４０）と、前記互いに隣接する第１貯水池及び第２貯水池（１４）のうち一方又は双方と前記潟（１２）との間を連通させる少なくとも１つの第３フローチャンネル（９０）とを備える、該システムを運用する方法であって、前記方法は、
前記潮汐流水域（１６）が満潮状態後に、前記第１フローチャンネル（３０）を開放して、水を前記潟（１２）から前記第１フローチャンネル（３０）経由で前記潮汐流水域（１６）に放出し、これにより前記第１タービン（３２）を駆動して発電し、またこの後第１フローチャンネル（３０）を閉鎖するステップと、
前記潮汐流水域（１６）が干潮状態後に、前記第１フローチャンネル（３０）を開放して、水を前記潮汐流水域（１６）から前記第１フローチャンネル（３０）経由で前記潟（１２）に放出し、これにより前記第１タービン（３２）を駆動して発電し、またこの後第１フローチャンネル（３０）を閉鎖するステップと、
前記潮汐状態が許容するとき、前記第２フローチャンネル及び前記第３フローチャンネル（４０，９０）を開放して、これにより水を前記第１貯水池及び／又は第２貯水池（１４）から前記第３フローチャンネル（９０）経由で前記潟（１２）に放出し、これにより前記第１タービン（３２）を駆動して発電し、またこの後、前記第３フローチャンネル（９０）を閉鎖するステップと、
前記潮汐状態が許容するとき、前記第２フローチャンネル及び前記第３フローチャンネル（４０，９０）を開放して、これにより水を前記潟（１２）から前記第３フローチャンネル（９０）経由で前記第１貯水池及び／又は第２貯水池（１４）に放出し、これにより前記第１タービン（３２）を駆動して発電し、またこの後、前記第３フローチャンネル（９０）を閉鎖するステップと、
を備える、方法。
【請求項２】
請求項１記載の方法において、水を前記潟（１２）から前記第１貯水池及び／又は前記第２貯水池（１４）にポンプ送りし、前記満潮状態で前記潟（１２）の水位レベルを前記潮汐流水域（１６）の水位レベルよりも高いレベルに上昇させる他のステップを有する、方法。
【請求項３】
請求項１又は２記載の方法において、上昇潮汐状態中追加の入力フローチャンネルを開放して、重力で水を前記潮汐流水域（１６）から前記第１貯水池及び／又は第２貯水池（１４）内に流入させる他のステップを有する、方法。
【請求項４】
請求項１〜３のうちいずれか一項記載の方法において、前記ステップは前記潮汐流水域（１６）の各潮汐周期で繰り返す、方法。
【請求項５】
潟（１２）と、この潟（１２）を潮汐流水域（１６）から分離する複数個の貯水池（１４）とを備え、各貯水池（１４）が、貯水池隔室（２２）を包囲する護岸（２０）を有している潮汐力発電のシステムであり、前記システムは、さらに、前記潮汐流水域（１６）と前記潟（１２）との間を連通させ、内部に第１水力タービン（３２）を有する少なくとも１つの第１フローチャンネル（３０）と、前記複数個の貯水池における互いに隣接する第１貯水池と第２貯水池（１４）との間を連通させる少なくとも１つの第２フローチャンネル（４０）と、前記互いに隣接する第１貯水池及び第２貯水池（１４）のうち一方又は双方と前記潟（１２）との間を連通させる少なくとも１つの第３フローチャンネル（９０）とを備える、該システムを運用する方法であって、前記方法は、
前記潮汐流水域（１６）が満潮状態中に、前記第３フローチャンネル（９０）を開放して、水を前記第１貯水池及び／又は第２貯水池（１４）から前記第３フローチャンネル（９０）経由で前記潟（１２）に放出し、これによりタービン（３２）を駆動して発電し、またこの後第３フローチャンネル（９０）を閉鎖するステップと、
前記潮汐流水域（１６）が満潮状態後に、前記第１フローチャンネル（３０）を開放して、水を前記潟（１２）から前記第１フローチャンネル（３０）経由で前記潮汐流水域（１６）に放出し、これにより前記第１タービン（３２）を駆動して発電し、またこの後第１フローチャンネル（３０）を閉鎖するステップと、
前記潮汐流水域（１６）が満潮状態後に、水を前記第２貯水池（１４）から前記第１貯水池（１４）にポンプ送りして、前記第１貯水池（１４）内の水位レベルを前記潮汐流水域（１６）の平均満潮水位レベルよりも高いレベルに上昇させるステップと、
前記潮汐流水域（１６）が干潮状態中に、前記第３フローチャンネル（９０）を開放して、水を前記潟（１２）から前記第３フローチャンネル（９０）経由で前記第１貯水池及び／又は第２貯水池（１４）に放出し、これによりタービン（３２）を駆動して発電し、またこの後第３フローチャンネル（９０）を閉鎖するステップと、
前記潮汐流水域（１６）が干潮状態後に、前記第１フローチャンネル（３０）を開放して、水を前記潮汐流水域（１６）から前記第１フローチャンネル（３０）経由で前記潟（１２）に放出し、これにより前記第１タービン（３２）を駆動して発電し、またこの後第１フローチャンネル（３０）を閉鎖するステップと、及び
前記潮汐流水域（１６）が干潮状態後に、前記潟（１２）から前記第２貯水池（１４）に水をポンプ送りして、前記第２貯水池（１４）内の水位レベルを前記潮汐流水域（１６）の平均満潮水位レベルよりも高いレベルに上昇させるステップと、
を備える、方法。
【請求項６】
潟（１２）と、この潟（１２）を潮汐流水域（１６）から分離する複数個の貯水池（１４）とを備え、各貯水池（１４）が、貯水池隔室（２２）を包囲する護岸（２０）を有している潮汐力発電及び電力貯蔵のシステムであって、
前記システムは、さらに、前記潮汐流水域（１６）と前記潟（１２）との間を連通させる少なくとも１つの第１フローチャンネル（３０）を備え、前記第１フローチャンネル（３０）は、水が前記第１フローチャンネル（３０）を流れるのを選択的に阻止する第１閉止手段を内部に有し、また前記第１フローチャンネル（３０）は第１タービン（３２）を有し、前記第１タービン（３２）は、前記第１フローチャンネル（３０）を流れる水によって回転する際に電力を生成するよう構成されたものであり、
前記システムは、さらに、前記複数個の貯水池における互いに隣接する２つの貯水池（１４）間を選択的に連通させる少なくとも１つの第２フローチャンネル（４０）と、前記複数個の貯水池における少なくとも１つの貯水池（１４）と前記第１フローチャンネル（３０）との間を選択的に連通させる少なくとも１つの第３フローチャンネル（９０）とを備え、
各貯水池（１４）の前記護岸（２０）は重力式構造物を備え、前記重力式構造物は、砂及び／又は他の海底材料と水硬性結合材との混合物（８８）による複数層を有し、また、
前記第２フローチャンネル（４０）は、前記隣接する貯水池のうち一方の第１貯水池から他方の第２貯水池に水をポンプ送りするよう構成されたポンプ（４２）を有する、システム。
【請求項７】
請求項６記載のシステムにおいて、前記水硬性結合材は、ポゾラン的又は潜在的水硬性の特性を有する無機材料である、システム。
【請求項８】
請求項６又は７記載のシステムにおいて、前記水硬性結合材は、石灰石、高炉スラグ、珪質フライアッシュ、石灰質フライアッシュ、すりつぶし顆粒化高炉スラグ（ＧＧＢＦＳ又はＧＧＢＳ）、シリカ・フューム、又はそれらの混合物である、システム。
【請求項９】
請求項６〜８のうちいずれか一項記載のシステムにおいて、前記第２フローチャンネル（４０）は、水が前記第２フローチャンネル（４０）を流れるのを選択的に阻止する第２閉止手段を内部に有する、システム。
【請求項１０】
請求項６〜９のうちいずれか一項記載のシステムにおいて、前記第２フローチャンネル（４０）は第２タービン（４２）を有し、前記第２タービン（４２）は、前記第２フローチャンネル（４０）を流れる水によって前記第２タービン（４２）が回転する際に電力を生成するよう構成されている、システム。
【請求項１１】
請求項６〜１０のうちいずれか一項記載のシステムにおいて、前記第３フローチャンネル（９０）は、前記複数個の貯水池における少なくとも１つの貯水池（１４）と前記潟（１２）との間を連通し、前記第３フローチャンネル（９０）は、水が前記第３フローチャンネル（９０）を流れるのを選択的に阻止する第３閉止手段を内部に有する、システム。
【請求項１２】
請求項６〜１１のうちいずれか一項記載のシステムにおいて、前記複数個の貯水池（１４）は、連続潮汐流防壁（１８）を形成するよう構造的に結合されている、システム。